(57)【特許請求の範囲】
【請求項１】
開閉自在な開閉蓋(5)を有する鞄本体(4)と、鞄本体(4)底面(4A)に装着されて鞄本体(4)を移動させるキャスター(1)と、鞄本体(4)に装着されて上方に引出し自在な取手(3)とを備え、取手(3)は上端にグリップ(3A)を有すると共に、グリップ(3A)に垂直ロッド(3B)を連結しており、この垂直ロッド(3B)は鞄本体(4)に固定されるガイド筒(14)に出入り自在に挿入されており、ガイド筒(14)を介して鞄本体(4)に装着されており、下記の全ての構成を有することを特徴とする鞄。
（ａ）  キャスター(1)は自由に首振りできるもので、鞄本体(4)の底面の四隅に固定されて、鞄本体(4)を自立して移動させる。
（ｂ）  鞄本体(4)は、片面を背面蓋(4D)で閉塞して、片面を開口し、片面の開口部に第１ファスナー(6)で開閉蓋(5)を開閉できるように連結している。
（ｃ）  鞄本体(4)に固定されるガイド筒(14)は、鞄本体(4)の背面蓋(4D)の内面又は外側に、上下に延長する姿勢で配設される。
（ｄ）  垂直ロッド(3B)とガイド筒(14)は、引き出された取手(3)のグリップ(3A)を鞄本体(4)の幅方向の中心に位置させる方向に湾曲され、又は引き上げたグリップ(3A)を鞄本体(4)の中央に位置させる方向に、鞄本体(4)の背面蓋(4D)を傾斜面としている。
（ｅ）  開閉蓋(5)は四角形で、一辺を折曲できるように鞄本体(4)に連結して、残りの３辺を第１ファスナー(6)で鞄本体(4)に連結している。
（ｆ）  開閉蓋(5)は、可撓性の本体シート(7)と、この本体シート(7)と可撓性のポケットシート(8)を積層している多層構造で、本体シート(7)とポケットシート(8)との間に外ポケット(10)を設けている。
（ｇ）  ポケットシート(8)の上縁は本体シート(7)の上縁よりも下方に位置する。
（ｈ）  ポケットシート(8)は、上縁と、その両側の少なくとも上部を第２ファスナー(9)を介して本体シート(7)に連結して、第２ファスナー(9)で外ポケット(10)の上部を開口できるようにしている。
（ｉ）  ポケットシート(8)の上縁よりも下方であって外ポケット(10)の内部で、本体シート(7)に内部取出口(12)を開口しており、この内部取出口(12)を開閉できるように内部取出口(12)の対向縁に第３ファスナー(11)を固定している。
（ｊ）  第２ファスナー(9)は、連結状態で鞄本体(4)の側面(4B)と同一面に位置するように配設されて、ポケットシート(8)の外周縁に沿って外周壁を設けるように固定され、この外周壁でもってポケットシート(8)を本体シート(7)から離して連結する。
（ｋ）  第３ファスナー(11)は、内部取出口(12)の対向縁に連結されて、閉塞状態で本体シート(7)と同一面に位置する。
（ｌ）第２ファスナー(9)で外ポケット(10)の開口部を開き、外ポケット(10)の内部に設けている第３ファスナー(11)で内部取出口(12)を開いて、第１ファスナー(6)を開くことなく、鞄本体(4)の内部に物品を出し入れできるようにしている。
【請求項２】
第２ファスナー(9)が、ポケットシート(8)の両側縁の全体を本体シート(7)に連結している請求項１に記載される鞄。
【請求項３】
第２ファスナー(9)が、ポケットシート(8)の両側縁の上部を本体シート(7)に連結して、第２ファスナー(9)で連結されない側縁を本体シート(7)に固定している請求項１に記載される鞄。
【請求項４】
ポケットシート(8)の上縁が本体シート(7)の上縁から２ｃｍ以上下がった位置にあり、第３ファスナー(11)が、ポケットシート(8)の上縁から１ｃｍ以上下がった位置にある請求項１に記載される鞄。
【請求項５】
ポケットシート(8)の両側縁が、本体シート(7)の両側縁よりも内側に位置する請求項１に記載される鞄。
【発明の詳細な説明】
【０００１】
【発明の属する技術分野】
本発明は、キャスター付の鞄に関する。本明細書において、鞄は、スーツケースやアタッシュケースを含む広い意味に使用する。
さらに、本明細書において、上下方向は使用状態において決定するものとし、キャスターを固定している側を下、取手を固定している側を上とする。
【０００２】
【従来の技術】
キャスターと取手を備える鞄は、すでに開発されて多く使用されている。この構造の鞄は、航空機に持込みできるタイプが多い。この構造の鞄は、例えば、実用新案登録第３０２３８４０号公報に記載されている。この公報に記載される鞄は、図１に示すように底面の片側に２個のキャスター１を設けている。キャスター１の反対側には、短い脚２を固定している。鞄を垂直に立てると、キャスター１と脚２とが床に接触する。この状態では、回転しない脚２が接触するので、鞄は移動しない状態で垂直に自立する。さらに、鞄を引っ張って移動させるために、上面に引き出しできるように取手３を設けている。取手３は、鞄を傾斜させた状態で引っ張って移動させるので、キャスター１と同じ側に設けられる。
【０００３】
この構造の鞄は、鞄を傾け、取手３を引っ張って移動できる。鞄が傾斜すると、キャスター１が床に接触し、脚２は床から離れる。この状態で取手３を引っ張ると、キャスター１が回転して楽に移動できる。しかしながら、このようにして移動させる鞄は、航空機内のように狭いところや、混雑するところでは、キャスター１を使用できないことがある。キャスター１で走行させると、鞄の横幅が広くなって、機内の座席の間の狭い通路や、混雑するところで自由に移動できないからである。
【０００４】
キャスター付きの鞄は、大きくて重い鞄を軽く、楽に移動させるのに便利な構造である。鞄が重くても、キャスターで楽に移動できるからである。本発明者は、このような欠点を解消するために、図２に示すように、キャスターで自立できる鞄を開発した。この鞄は、キャスター１を、鞄本体４の底面４Ａの四隅に装着している。この構造の鞄は、傾斜させて移動させるのではない。鞄を垂直に立てた姿勢で移動できる。とくに、矢印で示す方向に移動させると、横幅を狭くして移動できる。このため、機内や混雑するところで便利に移動できる特長がある。さらに、４個のキャスター１に、自由な方向に移動できる自在キャスターを使用すると、鞄は、垂直の姿勢で自由な方向に移動できる。垂直姿勢の鞄は、鞄の重さが取手３に作用しない。このため、鞄が極めて重くても、押すだけで楽に移動できる。
【０００５】
【発明が解決しようとする課題】
キャスターで自立できる鞄は、多くの使用状態において垂直に立てた姿勢となる。この状態で内部に物を出し入れするために、開閉蓋を開くと内部のものが溢れ出る欠点がある。この状態にならないように、開閉蓋を連結しているファスナーの一部を開くと、開口部が狭くて内部のものを簡単に出し入れできなくなる。
【０００６】
本発明は、さらにこの欠点を解決することを目的に開発されたものである。本発明の重要な目的は、鞄を垂直に立てた状態で、内部のものを便利に出し入れできる鞄を提供することにある。
【０００７】
【課題を解決するための手段】
本発明の鞄は、開閉自在な開閉蓋５を有する鞄本体４と、鞄本体４の底面４Ａに装着されて鞄本体４Ａを移動させるキャスター１と、鞄本体４に装着されて上方に引出し自在な取手３とを備える。取手３は、上端にグリップ３Ａを有すると共に、グリップ３Ａに垂直ロッド３Ｂを連結している。この垂直ロッド３Ｂは、鞄本体４に固定されるガイド筒１４に出入り自在に挿入されており、ガイド筒１４を介して鞄本体４に装着されている。さらに、鞄は、以下の全ての構成を有することを特徴とする。
（ａ）  キャスター１は、自由に首振りできるもので、鞄本体４の底面の四隅に固定されて、鞄本体４を自立して移動させる。
（ｂ）  鞄本体４は、片面を背面蓋４Ｄで閉塞して、片面を開口し、片面の開口部に第１ファスナー６で開閉蓋５を開閉できるように連結している。
（ｃ）  鞄本体４に固定されるガイド筒１４は、鞄本体４の背面蓋４Ｄの内面又は外側に、上下に延長する姿勢で配設される。
（ｄ）  垂直ロッド３Ｂとガイド筒１４は、引き出された取手３のグリップ３Ａを鞄本体４の幅方向の中心に位置させる方向に湾曲され、又は引き上げたグリップ３Ａを鞄本体４の中央に位置させる方向に、鞄本体４の背面蓋４Ｄを傾斜面としている。
（ｅ）  開閉蓋５は四角形で、一辺を折曲できるように鞄本体４に連結して、残りの３辺を第１ファスナー６で鞄本体４に連結している。
（ｆ）  開閉蓋５は、可撓性の本体シート７に可撓性のポケットシート８を積層している多層構造で、本体シート７とポケットシート８との間に外ポケット１０を設けている。
（ｇ）  ポケットシート８の上縁は、本体シート７の上縁よりも下方に位置する。
（ｈ）  ポケットシート８は、上縁と、その両側の少なくとも上部を第２ファスナー９を介して本体シート７に連結して、第２ファスナー９で外ポケット１０の上部を開口できるようにしている。
（ｉ）  ポケットシート８の上縁よりも下方であって外ポケット１０の内部で、本体シート７に内部取出口１２を開口しており、この内部取出口１２を開閉できるように内部取出口１２の対向縁に第３ファスナー１１を固定している。
（ｊ）  第２ファスナー９は、連結状態で鞄本体の側面４Ｂと同一面に位置するように配設されて、ポケットシート８の外周縁に沿って外周壁を設けるように固定され、この外周壁でもってポケットシート８を本体シート７から離して連結している。
（ｋ）  第３ファスナー１１は、内部取出口１２の対向縁に連結されて、閉塞状態で本体シート７と同一面に位置する。
（ｌ）  第２ファスナー９で外ポケット１０の開口部を開き、外ポケット１０の内部に設けている第３ファスナー１１で内部取出口１２を開いて、第１ファスナー６を開くことなく、鞄本体４の内部に物品を出し入れできるようにしている。
【０００８】
第２ファスナー９は、ポケットシート８の両側縁の全体を本体シート７に連結することができる。第２ファスナー９は、ポケットシート８の両側縁の上部を本体シート７に連結して、第２ファスナー９で連結されない側縁を本体シート７に固定することもできる。ポケットシート８の上縁は、本体シート７の上縁から２ｃｍ以上下がった位置とし、第３ファスナー１１は、ポケットシート８の上縁から１ｃｍ以上下がった位置とすることができる。ポケットシート８の両側縁は、本体シート７の両側縁よりも内側に位置させることができる。
【０００９】
【発明の実施の形態】
以下、本発明の実施例を図面に基づいて説明する。ただし、以下に示す実施例は、本発明の技術思想を具体化するための鞄を例示するものであって、本発明は鞄を下記のものに特定しない。
【００１０】
さらに、この明細書は、特許請求の範囲を理解し易いように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１１】
図３と図４に示す鞄は、開口部に開閉蓋５を設けている鞄本体４の底面４Ａに車輪台を固定し、車輪台の四隅にキャスター１を固定している。ただし、図４は本発明の実施例にかかるものでなく、参考例として記載する。さらに、鞄本体４には、垂直に引き出しできる取手３を装着している。図３の鞄本体４は片面を閉塞して片面を開口し、図４の鞄本体４は両面を開口して、開口部に開閉蓋５を設けている。鞄本体４は、底面４Ａと、底面４Ａの両端に連結されている両側の側面４Ｂと、側面４Ｂの上端を連結している上面４Ｃとからなる。さらに、図３の鞄本体４は、片面を背面蓋４Ｄで閉塞している。これら図の鞄本体４は、底面４Ａと側面４Ｂと上面４Ｃで長方形に形成している。
【００１２】
開閉蓋５は、四角形で、第１ファスナー６を介して鞄本体４の開口部に連結される。開閉蓋５は、鞄本体４の開口部の全体を開放できるように、下端縁を鞄本体４に折曲できるように連結して、両側縁と上縁を、第１ファスナー６で鞄本体４の側面４Ｂと上面４Ｃの開口縁に連結している。
【００１３】
開閉蓋５は、本体シート７とポケットシート８を積層した多層構造のシートである。本体シート７は、鞄本体４の開口部の全体を閉塞する四角形である可撓性のシートである。ポケットシート８は、この本体シート７の外形よりも小さい可撓性のシートである。本体シート７とポケットシート８の積層体である開閉蓋５は、本体シート７とポケットシート８との間に外ポケット１０を設けている。開閉蓋５は、本体シート７の上縁と両側縁を第１ファスナー６で鞄本体４に連結して、下端縁を本体シート７に連結している。可撓性のある本体シート７は、下端縁を鞄本体４に連結して、折曲できるように開閉蓋５を連結できる。ただ、開閉蓋５は、本体シート７の下縁を折曲できる別の部材で鞄本体４に折曲できるように連結することもできる。
【００１４】
図４に示すように、鞄本体４の両面に開閉蓋５を設けている鞄は、一方の開閉蓋５にのみ外ポケット１０を設け、他方の開閉蓋５には外ポケット１０を設けないものとすることができる。ただ、両面の開閉蓋５に外ポケット１０を設けることもできるのは言うまでもない。
【００１５】
ポケットシート８は、上縁を本体シート７の上縁よりも下方に位置させて、外形を本体シート７よりも小さくしている。ポケットシート８は、好ましくは、その上縁を本体シート７の上縁から１〜５ｃｍ下がった位置とする。ポケットシート８の上縁を上に位置させると、外ポケット１０を大きくできるが、小物入れとして便利に使用できなくなる。小物が外ポケット１０の下部に入るので、第２ファスナー９を大きく開いて取り出しする必要があるからである。さらに、図の鞄は、ポケットシート８の両側縁を、本体シート７の両側縁よりも内側に位置させて、ポケットシート８の幅を本体シート７よりも狭くしている。
【００１６】
図３の鞄は、ポケットシート８の上縁と、両側縁の全体を第２ファスナー９で本体シート７に連結して、下縁を本体シート７に縫着して折曲できるように連結している。この構造の鞄は、第２ファスナー９の全体を外して、外ポケット１０の全体を開くことができる。図４の鞄は、ポケットシート８の両側縁の全体ではなくて、側縁の上部のみを、第２ファスナー９でポケットシート８に連結している。第２ファスナー９で連結されないポケットシート８の下半分は、その幅を本体シート７まで広くして、側縁と下縁を本体シート７にミシン縫いして固定している。幅を広げている部分の上縁も本体シート７にミシン縫いして固定している。この構造の鞄は、第２ファスナー９を外して、外ポケット１０の上部を開くことができる。
【００１７】
さらに、図３と図４に示す鞄は、外ポケット１０の開口部に位置して、いいかえると、第２ファスナー９を外して外ポケット１０が開かれた部分の内側に、内部取出口１２を設けている。内部取出口１２は、本体シート７を切断して設けており、ここに第３ファスナー１１を設けて、開閉できるようにしている。第３ファスナー１１、すなわち内部取出口１２は、ポケットシート８の上縁から１ｃｍ以上下がった位置、好ましくは２〜５ｃｍ下がった位置に設けられる。図５に示すように、第２ファスナー９を外してポケットシート８を開いた状態で、第３ファスナー１１を開いて、第１ファスナー６を外すことなく、鞄本体４の内部に物品を出し入れするためである。
【００１８】
鞄本体４の大きさは、たとえば、下記のＳ、Ｍ、Ｌの３タイプとする。
Ｓ…３８（長さ）×３０（高さ）×１５（幅）ｃｍ
Ｍ…４１（長さ）×３２（高さ）×１６（幅）ｃｍ
Ｌ…４４（長さ）×３４（高さ）×１７（幅）ｃｍ
ただ、本発明の鞄は、鞄本体４の寸法を以上のものに特定しない。
【００１９】
鞄本体４は、自立させてキャスター１で倒れ難い状態で押しながら移動できるように、好ましくは、幅を１０ｃｍ〜２５ｃｍに、長さを２０ｃｍ〜５０ｃｍとする。鞄は、好ましくは、底面の大きさを１０（幅）×２０ｃｍ（長さ）以上として、安定して垂直に立てて移動できるようにする。機内持込みタイプの鞄は、幅を１５〜２０ｃｍとして、長さを３５〜４５ｃｍとする。機内持込みタイプの鞄は、長さを５０ｃｍ以下とする。
【００２０】
鞄本体４は、図５ないし図７の断面図に示すように、内面に方形状の補強枠１５を設け、この補強枠１５の表面に、硬板内張１６と、軟質表面材１７を張設している。図６は、図３に示す鞄の取手３を引き出した状態を示す垂直縦断面図で、図７は、図４に示す鞄の垂直縦断面図である。補強枠１５は、図８の断面図に示すように、硬質の塩化ビニル樹脂やポリエチレン等の硬質プラスチック板１５Ａに、複数本の針金１５Ｂを挿入して補強したものを、鞄本体４の内面に沿う枠形状に折曲したものである。この図の補強枠１５は、硬質プラスチック板１５Ａに縦に延長して角孔１５Ｃを設けている。角孔１５Ｃには、針金１５Ｂが挿入され、針金１５Ｂで硬質プラスチック板１５Ａを強く補強している。針金１５Ｂは、たとえば、２〜４ｍｍφの太さのものが使用される。この構造の補強枠１５は、軽量で強靭な特長がある。ただ、補強枠１５には、アルミニウムや薄い鉄板等も使用できる。
【００２１】
硬板内張１６は、厚紙、薄くて硬いプラスチック板である。硬板内張１６は、同じ材質、あるいは異なる材質のものを複数枚積層することもできる。図に示す鞄は、補強枠１５と硬板内張１６とを別々の部材としているが、両方を一体構造とすることもできる。軟質表面材１７は、布やプラスチックシートである。鞄本体４は、軟質表面材１７の外側でその中央に、天然あるいは合成皮革を帯状にした装飾材を縫着することもできる。
【００２２】
さらに、鞄は、鞄本体４の底面の四隅にキャスター１を固定している。キャスター１は車輪台１３に固定される。車輪台１３は、鞄本体４の底面に固定される。図６と図７に示す車輪台１３は、２枚に分離して、鞄の長さ方向に離して鞄本体４の底面４Ａに固定している。２枚の車輪台１３は、各々２個のキャスター１を固定しており、鞄本体４の底面４Ａの両端部に固定している。このように、２枚に分離される車輪台１３は、全体を軽くすることができる。ただ、車輪台は、鞄本体の底面にほぼ等しい大きさの１枚の板材とすることもできる。この車輪台は、鞄本体の底面を補強できる特長がある。車輪台１３は、ネジやリベットを介して、鞄本体４の底面４Ａに固定される。車輪台１３は、充分な強度を有するように、アルミニウム等の金属板が使用される。アルミニウム製の車輪台１３は、好ましくは厚さが２〜５ｍｍ、さらに好ましくは３〜４ｍｍである。車輪台は、軽くするために、部分的に貫通孔を開口することもできる。
【００２３】
車輪台１３にはキャスター１を固定している。キャスター１は、鞄本体４の底面４Ａの四隅に位置して、車輪台１３に固定されている。キャスター１は自由に首振りできるもので、通称「自在車」と呼ばれるものを使用する。キャスター１はネジやリベットを介して車輪台１３の下面に固定される。
【００２４】
取手３は、２本の垂直ロッド３Ｂの上端に、水平のグリップ３Ａを連結したもので、全体の形状をコ字状としている。２本の垂直ロッド３Ｂは、２本のガイド筒１４を介して、鞄本体４に上下に出し入れできるように装着されている。垂直ロッドは、３段または２段に伸縮できる伸縮ロッドとすることもできる。垂直ロッド３Ｂの上端に連結されるグリップ３Ａは、鞄の上面４Ｃに長手方向に延長される。
【００２５】
グリップ３Ａは、鞄をキャスター１で移動させるときに、図３と図４の鎖線で示すように、鞄から引き出される。引き出されたグリップ３Ａは、２本の垂直ロッド３Ｂを同じ長さに引き出して水平に保持される。鞄をキャスター１で移動させないときは、図の実線で示すように、グリップ３Ａを押し込んだ状態とする。
【００２６】
取手３は、グリップ３Ａを鞄本体４から引き出した位置と、降下させた位置にストッパ（図示せず）で停止される。ストッパは、グリップ３Ａを引き出した位置と、降下させた位置で垂直ロッド３Ｂを停止できる全ての機構を利用できる。グリップ３Ａを引き上げた位置に停止させるのは、グリップ３Ａを押してキャスター１で鞄を移動させるときと、取手３にもたれて、いいかえると取手３を杖のように使用して休憩するときである。このような使用状態で、取手３が鞄に押し込まれるのをストッパで停止させる。グリップ３Ａを鞄に押し込んで停止させるのは、鞄をキャスター１で移動させることなく、鞄を手で持ち上げて運搬するときである。
【００２７】
垂直ロッド３Ｂの全長は、グリップ３Ａを最も引き上げた状態で、キャスター１の下端からグリップ３Ａまでの高さが約８０ｃｍとなるように設計する。ただ、キャスター１の下端からグリップ３Ａまでの高さは、６０〜１００ｃｍの範囲で変更することもできる。グリップ３Ａの高さを約８０ｃｍにすると、最も楽に鞄を押して移動でき、また、楽に杖に併用できる。
【００２８】
２本の垂直ロッド３Ｂは、２本のガイド筒１４を介して、鞄本体４に上下に出し入れできるように装着されている。ガイド筒１４は、鞄本体４に固定されている。ガイド筒１４は、垂直ロッド３Ｂを摺動させて出し入れできる筒状である。
【００２９】
図３に示す鞄は、鞄本体４の背面蓋４Ｄにガイド筒１４を固定している。ガイド筒１４は、鞄本体４の背面蓋４Ｄの内面に、上下に延長する姿勢で固定される。ガイド筒１４は、鞄本体４の背面蓋４Ｄの内面に、サドル金具等の固定具１８を介して固定される。固定具１８は、図に示すように、ネジやリベット等の止具を介して、鞄本体４の背面蓋４Ｄに固定される。固定具１８は、止具によらず、また止具に加えて、接着して鞄本体４に固定することもできる。図に示す鞄は、ガイド筒１４を鞄本体４の内面に固定しているので、垂直ロッド３Ｂを、鞄本体４の上面４Ｃに貫通させている。図示しないが、垂直ロッドは、背面蓋の外側に固定することもできる。以上のように、ガイド筒１４を背面蓋４Ｄに固定する鞄は、鞄本体４の内部にできる収納室を有効に利用できる特長がある。
【００３０】
さらに、図３に示す鞄は、図９に示すように、引き出された取手３のグリップ３Ａを鞄本体４の左右の中心、すなわち幅方向の中心に位置させるように垂直ロッド３Ｂを湾曲している。グリップ３Ａの両端に連結される２本の垂直ロッド３Ｂは、同じ曲率半径で湾曲される。さらに、ガイド筒１４も、垂直ロッド３Ｂを摺動自在に出し入れできるように同じ曲率半径で湾曲される。伸縮ロッドである垂直ロッドは、全てのロッドが同じ曲率半径で湾曲される。さらに、図に示す鞄は、ガイド筒１４を鞄本体４の内面に沿って固定できるように、背面蓋４Ｄをガイド筒１４に近似する曲率半径で湾曲する形状に成形している。
【００３１】
湾曲される垂直ロッド３Ｂの曲率半径は、グリップ３Ａを最も上端まで引き上げた状態で、グリップ３Ａを鞄本体４の左右の中央に位置させるように設計される。したがって、垂直ロッド３Ｂの曲率半径は、グリップ３Ａの高さと、鞄本体４の厚さによって決定される。鞄本体４が厚くなると曲率半径を小さくし、鞄本体４が薄くなると曲率半径を大きくする。グリップ３Ａの高さは、立った姿勢で楽に手で握ることができるように、約８０〜８５ｃｍに設計される。
【００３２】
さらに、図３に示す鞄は、グリップ３Ａを降下させたときは、鞄本体４の上面４Ｃの中央に装着している中央握り２４で持ち上げる。中央握り２４は、左右の中央に装着しているので、鞄本体４を左右にバランスよく手で持つことができる。
【００３３】
さらに、図１０に示す鞄は、湾曲する垂直ロッドを使用するのに代わって、引き上げたグリップ３Ａを鞄本体４の左右の中央に位置させるために、垂直ロッド３Ｂを固定する鞄本体４の背面蓋４Ｄを傾斜面としている。鞄本体４の傾斜面は、垂直ロッド３Ｂの上端のグリップ３Ａを最も引き上げた状態で、グリップ３Ａが鞄本体４の左右の中央に位置する方向、いいかえると、鞄本体４の上面幅を下面幅よりも狭くするように傾斜させている。傾斜面の傾斜角は、鞄本体４の幅と、グリップ３Ａの高さで変化する。鞄本体４の幅が広くなると、傾斜面の垂直面に対する傾斜角を大きくする。
【００３４】
さらに、図４に示す鞄は、図７と図１１の断面図に示すように、鞄本体４の内部を、仕切り１９で２つの区画室２０に分割している。仕切り１９は、鞄本体４の内部を両面の区画室２０に分割すると共に、底面４Ａと側面４Ｂと上面４Ｃとからなる鞄本体４を補強している。この鞄は、鞄本体４に設けられた２つの区画室２０を、鞄本体４の両面に設けた開閉蓋５で別々に開閉する。
【００３５】
仕切り１９は、ＡＢＳ樹脂のプラスチック製の硬質板が使用される。仕切り１９は、鞄本体４の内側の形状にほぼ等しい外形をしている。鞄本体４の内側に連結して、これを補強するためである。ＡＢＳ樹脂製の硬質板である仕切り１９は、軽くて強靭な特長がある。ただ、本発明の鞄は、仕切り１９の材質をＡＢＳ樹脂に特定しない。仕切り１９には、たとえば、塩化ビニル樹脂、ナイロン、アクリル樹脂、ポリエチレン樹脂、エポキシ樹脂等を板状に成形したものも使用できる。さらに、仕切り１９に、透明のプラスチックを使用することもできる。透明の仕切り１９を内蔵する鞄は、仕切り１９の裏面から反対側の区画室２０に収納する物を確認できる特長がある。さらに、仕切り１９には、プラスチック板に代わって、アルミニウムや鉄等の金属板も使用できる。プラスチック板や金属板の仕切り１９は、十分な強度を有するので、局部的に複数の貫通孔を開口して、軽量化することもできる。
【００３６】
さらに、仕切りには、布、プラスチックシート、不織布等の丈夫なシート材を使用することもできる。シート材は、充分な引張強度を有し、かつ、ほとんど伸びないものである。仕切りのシート材が伸びると、鞄本体が変形するからである。シート材の仕切りは、鞄本体の内側を対角線状に連結して、鞄本体が変形するのを防止する。
【００３７】
図７と図１１は、硬質板である仕切り１９を鞄本体４の側面４Ｂに連結する構造を示す。この仕切り１９は、両側をＬ字状に折曲して、折曲片１９Ａを鞄本体４の内面に固定している。硬質板である仕切り１９は、折曲片を設けることなく板状として、Ｌ固定具を介して鞄本体の内面に固定することもできる。Ｌ固定具は、一方の片を仕切りに、他方の片を鞄本体の内面に連結する。さらに、シート材である仕切りは、周囲に硬質枠を接着あるいは縫着して固定し、この硬質枠を、Ｌ固定具で鞄本体に連結する。
【００３８】
仕切り１９の折曲片１９ＡやＬ固定具は、鞄本体４を貫通するリベットやネジで固定される。仕切り１９を固定するリベットやネジは、仕切り１９やＬ固定具と、補強枠１５と硬板内張１６と軟質表面材１７とを挟着して、仕切り１９と補強枠１５と硬板内張１６と軟質表面材１７とを固定する。仕切り１９は、少なくとも、両側の上部と下部を対角線状に鞄本体４の側面４Ｂに固定する。さらに、仕切りは、上縁を鞄本体の上面に、下縁を底面に固定することもできる。側面と上面と底面に固定される仕切りは、より強く鞄本体を補強して固定される。
【００３９】
仕切り１９は、図１１の断面図に示すように、鞄本体４の中央ないしは、ほぼ中央に位置して固定される。鞄本体４の内側に、ほぼ等しい容積の区画室２０を設けるためである。ただ、両面の区画室２０は、正確に同じ容積、いいかえると、同じ深さとする必要はない。鞄は、一方の区画室を他方の区画室よりも多少深くすることもできる。
【００４０】
さらに、図７と図１１に示す鞄は、仕切り１９に２本のガイド筒１４を固定している。ガイド筒１４は、鞄本体４のほぼ中央に固定される仕切り１９の表面に、上下に延長する姿勢で固定している。鞄本体４のほぼ中央に配設される２本のガイド筒１４は、ここに挿入される垂直ロッド３Ｂの上端のグリップ３Ａを、上面４Ｃのほぼ中央に配設する。垂直ロッド３Ｂは、鞄本体４の上面４Ｃを貫通して、ガイド筒１４に挿入される。ガイド筒１４は、図に示すように、サドル金具等の固定具１８を介して、あるいは図示しないが、接着材で接着されて仕切り１９の表面に固定される。固定具１８は、ネジやリベット等の止具を介して、あるいは接着して仕切り１９に固定される。
【００４１】
ガイド筒は、図示しないが、２枚の仕切りで挟着して鞄本体に連結することもできる。２枚の仕切りは、対向する内面にガイド筒を嵌入する溝を成形し、この溝にガイド筒を嵌入してガイド筒を定位置に固定できる。この構造の仕切りは、ガイド筒を強固に、移動しないように固定できる特長がある。
【００４２】
ガイド筒は、仕切りでなくて、鞄本体に連結することもできる。図１２に示す鞄は、鞄本体４の内面に補強枠１５を固定しており、この補強枠１５の上下の内面に２本のガイド筒１４を固定している。ガイド筒１４は、上側の補強枠１５を貫通し、下側の補強枠１５を貫通することなく、固定具２１を介して補強枠１５に連結している。固定具２１は、プラスチック製で、ガイド筒１４を挿入する筒部２１Ａに鍔部２１Ｂを一体成形したものである。この構造の固定具２１は、筒部２１Ａにガイド筒１４を挿入し、鍔部２１Ｂを補強枠１５の内面にネジ止、あるいは、接着等の方法で固定して、ガイド筒１４を鞄本体４に固定できる。この鞄は、鞄本体４の上面４Ｃと底面４Ａに固定されるガイド筒１４で鞄本体４を補強できるので、必ずしも仕切りを設ける必要はない。２本のガイド筒１４で、鞄本体４の変形を防止できるからである。
【００４３】
図４に示す鞄は、キャスター１で移動させるときに、取手３を鞄から引き出す。鞄をキャスター１で移動させないとき、取手３は鞄に押し込まれる。図４に示す鞄は、取手３を鞄本体４に押し込んだ状態で、グリップ３Ａと鞄本体４の上面４Ｃとの間に握り隙間２２を設けている。図４の鞄は、図７に示すように、鞄本体４の上面４Ｃに凹部２３を設けて握り隙間２２としている。ただ、握り隙間は、取手を鞄本体に押し込んた状態でグリップと鞄本体の上面との間に隙間ができるように、グリップの中央部分を上方に折曲して設けることもできる。グリップ３Ａを最も押し込んだ状態で、グリップ３Ａと鞄本体４との間に握り隙間２２ができる鞄は、押し込んだグリップ３Ａを楽に持つことができる。この状態は、例えば、電車や椅子になどに座って、鞄を移動させるときに便利に使用できる。
【００４４】
以上の鞄は、グリップ３Ａの両端に垂直ロッド３Ｂを連結する取手３を備える。この構造の取手３は、２本の垂直ロッド３Ｂを一緒に伸縮させてグリップ３Ａを水平に鞄本体４に強固に連結する。ただ、本発明の鞄は、取手を、２本の垂直ロッドで鞄本体に連結する構造に特定しない。図示しないが、取手のグリップは、１本の垂直ロッドを介して鞄本体に連結することもできる。１本の垂直ロッドを介して鞄本体に連結するグリップは、回転しない垂直ロッドを介して鞄本体に装着される。垂直ロッドを回転しないように鞄に連結するには、垂直ロッドを角柱とし、ガイド筒を垂直ロッドを挿入できる角パイプとして、回転しないで出し入れできるようにする。回転しない垂直ロッドに連結されるグリップは、これが鞄上面の中央に長手方向に延長されるように固定される。
【００４５】
【発明の効果】
本発明の鞄は、鞄を垂直に立てた状態で、内部のものを便利に出し入れできる特長がある。それは、本発明の鞄が、鞄本体の開口部に第１ファスナーで開閉蓋を開閉できるように連結しており、この開閉蓋は、本体シートにポケットシートを積層した多層構造で、本体シートとポケットシートとの間に、第２ファスナーで上部を開口できる外ポケットを設けると共に、外ポケットの内部で、本体シートに内部取出口を開口して、この内部取出口を第３ファスナーで開閉できるようにしているからである。この構造の鞄は、第２ファスナーで外ポケットの開口部を開き、第３ファスナーで内部取出口を開くことによって、第１ファスナーを開くことなく、鞄本体の内部に物品を出し入れできる。したがって、鞄を垂直に立てた状態で、内部の物を便利に出し入れできる。
【００４６】
このことは、キャスターを底面に設けた鞄にとって大切である。それは、底面にキャスターを設けた鞄は、幅を広くできるので、自立しやすいからである。鞄は、自立する姿勢で開閉蓋を開くと、内部の物が溢れ出ることがある。しかしながら、本発明の鞄は、独特の構造によって、開閉蓋を開くことなく鞄本体の内部に物品を出し入れできるので、垂直に立てた鞄の内部の物が溢れ出る心配がなく、開口された内部取出口から安心して物を出し入れできる。さらに、本発明の鞄は、必要に応じて、第１ファスナーで開閉蓋を開いて、広い開口部から鞄本体の内部に便利に物を出し入れすることもできる。
【００４７】
さらに、本発明の鞄は、鞄本体の内部、とくに奥深くに収納された物を、簡単かつ容易に取り出しできる特長がある。それは、本発明の鞄が、ポケットシートの上縁を本体シートの上縁よりも下方に位置させると共に、ポケットシートの上縁よりも下方に内部取出口を開口して、内部取出口の開口位置を鞄本体の上縁よりも下方にしているからである。鞄の内部から物を取り出すには、開口部から手を挿入する必要がある。とくに、鞄の底部に収納された物を取り出すときには、より深く手を挿入して、場合によっては手探りで内部の物を探る必要がある。従来の鞄では、内部の物が溢れ出る恐れがあるので、開閉蓋の下方ほど大きく開くことができず、底部に収納された物ほどを簡単に取り出しできない。逆に、開閉蓋の上方を開くと、底部の物を取り出すときには最も深く手を挿入しなければならず、極めて不便である。これに対して、本発明の鞄は、鞄本体の上縁よりも下方に位置して内部取出口を開口しているので、底部に収納された物を取り出すときにも、深く手を挿入することなく、しかも、内部取出口を大きく開くことができるので、鞄の奥深くに収納された物でも楽に取り出すことができる。
【図面の簡単な説明】
【図１】  従来の鞄の断面図
【図２】  本発明者が先に開発した鞄の斜視図
【図３】  本発明の一実施例にかかる鞄の斜視図
【図４】  本発明の参考例を示す鞄の斜視図
【図５】  開閉蓋を開くことなく鞄本体の内部に物を出し入れする状態を示す断面図
【図６】  図３に示す鞄の取手を引き出した状態を示す垂直縦断面図
【図７】  図４に示す鞄の垂直縦断面図
【図８】  補強枠の一例を示す拡大断面図
【図９】  図６に示す鞄の側面図
【図１０】  本発明の他の実施例にかかる鞄の側面図
【図１１】  図４に示す鞄の水平断面図
【図１２】  本発明の他の実施例にかかる鞄の垂直縦断面図
【符号の説明】
１…キャスター
２…脚
３…取手                ３Ａ…グリップ
３Ｂ…垂直ロッド
４…鞄本体              ４Ａ…底面
４Ｂ…側面
４Ｃ…上面
４Ｄ…背面蓋
５…開閉蓋
６…第１ファスナー
７…本体シート
８…ポケットシート
９…第２ファスナー
１０…外ポケット
１１…第３ファスナー
１２…内部取出口
１３…車輪台
１４…ガイド筒
１５…補強枠            １５Ａ…硬質プラスチック板
１５Ｂ…針金
１５Ｃ…角孔
１６…硬質内張
１７…軟質表面材
１８…固定具
１９…仕切り            １９Ａ…折曲片
２０…区画室
２１…固定具            ２１Ａ…筒部
２１Ｂ…鍔部
２２…握り隙間
２３…凹部
２４…中央握り
【図１】
0003793066.tif 000002
【図２】
0003793066.tif 000003
【図３】
0003793066.tif 000004
【図４】
0003793066.tif 000005
【図５】
0003793066.tif 000006
【図６】
0003793066.tif 000007
【図７】
0003793066.tif 000008
【図８】
0003793066.tif 000009
【図９】
0003793066.tif 000010
【図１０】
0003793066.tif 000011
【図１１】
0003793066.tif 000012
【図１２】
0003793066.tif 000013